(57)【要約】【課題】中央部を切り抜いた連続ポリ袋では中央部周辺にしわやたるみが生じやすく、中央部を切り抜かずにＵ字状のミシン目をつけたものでは、切り離して単体のポリ袋としたとき、ポリ袋の底にＵ字形状の切り抜き片が残る。【解決手段】連続ポリ袋１２は、両ガゼット折りされた細幅形状の袋素材１０の幅方向の全長に亘って形成された第１のシール部１４−１と、袋素材の側端からガゼット部の幅を越える位置まで形成された第２のシール部１４−２とを備えている。さらに、Ｃホールドされた袋素材１０のそれぞれの側端に、第１、第２のシール部の間から第２のシール部１４−２を越えて切り抜いて形成された略矩形の切り抜き部１６Ｒ、１６Ｌと、第１、第２のシール部の間で切り抜き部の長手方向の端１６−１を結んで形成されたミシン目１８とを連続ポリ袋１２が備えている。【選択図】図２
2008127033.tif 000002
【特許請求の範囲】
【請求項１】
熱可塑性合成樹脂からなる扁平チューブ状のプラスチックフィルムからなり、両ガゼット折りされた細幅形状の袋素材の長手方向に沿って互いに等間隔離反した位置で、熱溶着により袋素材の幅方向の全長に亘って形成された第１のシール部と、
袋素材のそれぞれの側端からガゼット幅を越える位置まで熱溶着により形成された第２のシール部と、
それぞれの側端が重複しない位置までその上面に折込まれた袋素材のそれぞれの側端に、第１、第２のシール部の間から第２のシール部を越えて切り抜いて形成された略矩形の切り抜き部と、
第１、第２のシール部間で側端の切り抜き部を結んで形成されたミシン目と、
を備え、ミシン目を介して単体のポリ袋を切り離し可能な連続ポリ袋。
【請求項２】
ミシン目が側端の切り抜き部の長手方向の端を結んで形成されている請求項１記載の連続ポリ袋。
【請求項３】
熱可塑性合成樹脂からなる扁平チューブ状のプラスチックフィルムの袋素材を両ガゼット折りして細幅形状とし、
袋素材の長手方向に沿って互いに等間隔離反した位置で、第１の熱溶着により袋素材の幅方向の全長に亘って第１のシール部を形成するとともに、それぞれの側端からガゼット幅を越える位置まで第２の熱溶着により第２のシール部を形成し、
それぞれの側端が重複しない位置まで袋素材をその上面に折込み、
第１、第２のシール部の間から第２のシール部を越えて袋素材のそれぞれの側端を略矩形に切り抜いて切り抜き部を左右の側端に形成し、
第１、第２のシール部間で左右の切り抜き部を結ぶミシン目を形成し、
ミシン目を介して切り離し可能なポリ袋を連続して成形した連続ポリ袋の成形方法。
【請求項４】
それぞれの切り抜き部の長手方向の端を結んでミシン目を形成した請求項３記載の連続ポリ袋の成形方法。
【請求項５】
第１、第２の熱溶着を同時に行って第１、第２のシール部を同時に形成した請求項３または４記載の連続ポリ袋の成形方法。
【請求項６】
切り欠き工程、ミシン目工程を同時に行う請求項３〜５のいずれか記載の連続ポリ袋の成形方法。
【発明の詳細な説明】
【技術分野】
【０００１】
本発明は、熱溶着によるシール部に隣接して設けられたミシン目を介して単体のポリ袋を連続して成形し、ミシン目に沿った切り離しにより単体のポリ袋が得られる連続ポリ袋およびその成形方法に関する。
【背景技術】
【０００２】
プラスチックフィルムの袋素材からなる大小のプラスチック袋がさまざまな分野において広く利用され、プラスチック袋は使用される代表的な材質（ポリエチレンフィルム、ポリプロピレンフィルム）からいわゆるポリ袋の総称で知られている。
【０００３】
スーパーなどの買い物においては、購入した物がレジ袋と称される把手片の形成されたポリ袋に入れられてお客に渡され、持ち帰り後、家庭でレジ袋は両側の把手片を結んでゴミ袋として利用されている。しかし、最近では、環境問題などからレジ袋の有料化または削減の方向にある。また、家庭用のゴミ袋として使用しようとしても持ち帰ったレジ袋は分離された形態のものであるため、多数のレジ袋を保管、収納することが難しい。そのため、家庭用のゴミ袋として手軽に使用できるポリ袋が望まれている。
【０００４】
たとえば特開平０７−２５１８４８号公報に記載のように、ポリ袋を連続して成形した連続ポリ袋が知られている。
連続ポリ袋は、熱可塑性合成樹脂からなる扁平チューブ状のプラスチックフィルムの袋素材を両ガゼット折り、つまり、その側端を両側から内方に折込んで細幅形状とし、長手方向で所定間隔離反したシール部を熱溶着によって幅方向の全長に亘って施すとともに、ミシン目をシール部に隣接して設けて成形される。連続ポリ袋は、ロール状に巻き取られたり、Ｓ字形状に積み重ねられ、単体のポリ袋の長さ分だけ引出してミシン目から切り離すことによりシール部を袋底部（下端）とし、上端の開口した単体のポリ袋が得られる。
【０００５】
ポリ袋が連続して成形された連続ポリ袋は、ロール状に巻装、または、Ｓ字形状に積み重ねられているため、容易に保管、収納できる。また、ミシン目に沿って切り離すことにより単体のポリ袋が容易に得られる。
このように、連続ポリ袋は、保管、収納が容易であり、家庭用のゴミ袋として手軽に使用できるポリ袋が容易に得られるため、連続ポリ袋を家庭に常備すれば、レジ袋の有料化や削減に対する有効な対策となる。
【０００６】
公知の連続ポリ袋として、中央部を切り抜いて両側に把手片を残し、把手片の上端に切り離し用のミシン目を設けたものと、特開平０７−２５１８４８号公報の連続ポリ袋のように中央部を切り抜くことなくＵ字状のミシン目を設けておくものが知られている。
【特許文献１】特開平０７−２５１８４８号公報
【発明の開示】
【発明が解決しようとする課題】
【０００７】
中央部を切り抜いた連続ポリ袋においては、しわやたるみを生じやすい。そのため、中央部周辺のしわやたるみによってロール状の巻き取り工程において袋素材がシワシワになり、単体のポリ袋にしわが模様状に残って、見た目がよくない。
他方、中央部を切り抜かずにＵ字状のミシン目をつけた連続ポリ袋では、切り離して単体のポリ袋としたとき、把手片と同長のＵ字形状の切り抜き片がポリ袋の底に残るため、違和感があり、見た目もよくない。
【０００８】
本発明は、しわやたるみのないロール形状に巻き取られ、しわがなく見た目のよい単体のポリ袋が得られる連続ポリ袋の提供を目的としている。
また、本発明は、しわやたるみのないロール形状に巻き取られ、見た目のよい単体のポリ袋の得られる連続ポリ袋を効率よく成形できる連続ポリ袋の成形方法の提供を別の目的としている。
【課題を解決するための手段】
【０００９】
請求項１記載の本発明によれば、連続ポリ袋は、熱可塑性合成樹脂からなる扁平チューブ状のプラスチックフィルムからなり、両ガゼット折りされた細幅形状の袋素材の長手方向に沿って互いに等間隔離反した位置で、熱溶着により袋素材の幅方向の全長に亘って形成された第１のシール部と、袋素材のそれぞれの側端からガゼット幅を越える位置まで熱溶着により形成された第２のシール部と、それぞれの側端が重複しない位置までその上面に折込まれた袋素材のそれぞれの側端に、第１、第２のシール部の間から第２のシール部を越えて切り抜いて形成された略矩形の切り抜き部と、第１、第２のシール部間で側端の切り抜き部を結んで形成されたミシン目と、を備え、ミシン目を介して単体のポリ袋が切り離し可能となっている。
【００１０】
また、請求項３記載の本発明によれば、連続ポリ袋の成形方法は、熱可塑性合成樹脂からなる扁平チューブ状のプラスチックフィルムの袋素材を両ガゼット折りして細幅形状とし、袋素材の長手方向に沿って互いに等間隔離反した位置で、第１の熱溶着により袋素材の幅方向の全長に亘って第１のシール部を形成するとともに、それぞれの側端からガゼット幅を越える位置まで第２の熱溶着により第２のシール部を形成し、それぞれの側端が重複しない位置まで袋素材をその上面に折込み、第１、第２のシール部の間から第２のシール部を越えて袋素材のそれぞれの側端を略矩形に切り抜いて切り抜き部を左右の側端に形成し、第１、第２のシール部間で左右の切り抜き部を結ぶミシン目を形成して、ミシン目を介して切り離し可能なポリ袋を連続して成形している。
【発明の効果】
【００１１】
請求項１記載の本発明では、袋素材のそれぞれの側端に切り抜き部が形成されているにすぎず、袋素材の中央部に切り抜き部を設けていないため、ロール状の巻き取り工程において袋素材がシワシワとならず、しわやたるみのないロール形状に巻き取ることができる。また、しわやたるみのないロール形状に巻き取るため、単体のポリ袋にしわが残らず、見た目のよい単体のポリ袋が得られる。
【００１２】
請求項３記載の本発明では、袋素材のそれぞれの側端で切り抜き部が形成されているにすぎず、袋素材の中央部に切り抜き部を設けていないため、ロール状の巻き取り工程において袋素材がシワシワとならず、しわやたるみのないロール形状に巻き取ることができ、単体のポリ袋にしわが残らず、見た目のよい単体のポリ袋が得られる。
また、ガゼット折り、熱溶着、側端の折込み、切り抜き、ミシン目の形成という連続ポリ袋の成形で普通に採用されている工程を経ているにすぎず、特別な工程を必要としないため、連続ポリ袋を効率よく成形できる。
【発明を実施するための最良の形態】
【００１３】
本発明では、連続ポリ袋は、熱可塑性合成樹脂からなる扁平チューブ状のプラスチックフィルムからなり、両ガゼット折りされた細幅形状の袋素材の長手方向に沿って互いに等間隔離反した位置で、熱溶着により袋素材の幅方向の全長に亘って形成された第１のシール部と、袋素材のそれぞれの側端からガゼット幅を越える位置まで熱溶着により形成された第２のシール部と、それぞれの側端が重複しない位置までその上面に折込まれた袋素材のそれぞれの側端に、第１、第２のシール部の間から第２のシール部を越えて切り抜いて形成された略矩形の切り抜き部と、第１、第２のシール部間で側端の切り抜き部を結んで、好ましくは側端の切り抜き部の長手方向の端を結んで、形成されたミシン目と、を備え、ミシン目を介して単体のポリ袋が切り離し可能となっている。
【実施例】
【００１４】
以下、図面を参照しながら本発明の実施例について詳細に説明する。
図１、図２は本発明の一実施例に係る連続袋の成形の工程図を示し、（Ａ−１）〜（Ａ−５）は袋素材の平面図、（Ｂ−１）〜（Ｂ−５）は袋素材の正面図を示す。なお、袋素材は非常に薄いものであるため、その厚さ方向の形状を明確化するために、厚さ方向に拡大して正面図を示している。また、図３（Ａ−６）は成形されてロール状に巻き取られた連続ポリ袋の斜視図、図３（Ａ−７）は連続ポリ袋から切り離されて拡幅されたポリ袋の平面図を示す。
【００１５】
ポリエチレンフィルム、ポリプロピレンフィルムなどの熱可塑性合成樹脂からなる扁平チューブ状のプラスチックフィルムの袋素材１０から、たとえば、以下の工程を経て単体のポリ袋２０の連続した連続ポリ袋１２が成形される。なお、実施例では、６５０ｍｍ幅の袋素材１０から出来上がり形状４７０ｍｍ幅（８００ｍｍ長）のポリ袋２０を連続して成形すると仮定する。
（１）まず、扁平チューブ状の袋素材１０を両ガゼット折り、つまり、袋素材１０の側端を両側から内方に折込んで、袋素材を細幅形状とする(図１（Ａ−１）（Ｂ−１）（Ａ−２）（Ｂ−２）参照)。たとえばガゼット折りされた左右のガゼット部１０Ｌａ、１０Ｒａの幅ａはそれぞれ９０ｍｍとされ、６５０ｍｍ幅の袋素材１０は４７０ｍｍの細幅になる。
【００１６】
（２）それから、熱溶着によって第１、第２のシール部１４−１、１４−２が形成される。図１（Ａ−３）（Ｂ−３）に示すように、第１のシール部１４−１は、ポリ袋２０の底となるものであり、袋素材の長手方向に沿って互いに等間隔離反した位置で、袋素材１０の幅方向の全長に亘って形成される。また、第２のシール部１４−２は、左右の把手片１７（図３（Ａ−７）参照）の上端となるものであり、第１のシール部１４−１と僅かに離反した位置に、袋素材１０のそれぞれの側端からガゼット幅（ガゼット部１０Ｌａ、１０Ｒａの幅）を越える位置まで形成される。たとえば、第２のシール部１４−２は、第１のシール部１４−１から３０ｍｍ離反した位置に、ガゼット幅を２０ｍｍ越えた１１０ｍｍの幅に形成される。
【００１７】
熱溶着はヒートシールバーなどを利用してなされ、対応する幅における袋素材のすべての層を一体的に熱溶着してシール部１４−１、１４−２が得られる。第１のシール部１４−１を形成する第１の熱溶着と、第２のシール部１４−２を形成する第２の熱溶着とを同時に行えば、２つのシール部１４−１、１４−２が効率よく形成できる。しかし、同時でなく、どちらかを先に行なってもよい。
【００１８】
（３）次に、袋素材１０をそれぞれの側端が重複しない位置まで、図１（Ａ−３）に矢視するように、その上面に折込む(図１（Ａ−３）（Ｂ−３）、図２（Ａ−４）（Ｂ−４）参照)。この側端の折込みは、Ｃ形状に折込まれるためＣホールドと称され、袋素材１０は両側からＣホールドされることとなる。折込まれる幅は、たとえば重ならないように３０ｍｍ離反してそれぞれ１１０ｍｍとされる（袋素材１０は２５０ｍｍ幅となる）。
【００１９】
（４）さらに、切り抜きとミシン目加工とが袋素材１０に施される（図２（Ａ−５）（Ｂ−５）参照)）。切り抜きは、たとえば切り刃からなる抜き型を利用してなされ、第１、第２のシール部１４−１、１４−２の間から第２のシール部を越えて袋素材１０のそれぞれの側端を略矩形に切り抜き、側端に切り抜き部１６Ｒ、１６Ｌが形成される。たとえば、左右の切り抜き部１６Ｒ、１６Ｌはそれぞれ幅５０ｍｍ、長さ１３０ｍｍとされる。切り抜き部１６Ｒ、１６Ｌを切り抜くことによって、切り抜き部間のＣホールドされた部分から把手片１７（図３（Ａ−７）参照）が成形される。
また、たとえば不連続切り刃によって、切り抜き部１６Ｒ、１６Ｌを結ぶミシン目１８が第１、第２のシール部１４−１、１４−２の間に形成されて、単体のポリ袋２０の連続した連続ポリ袋１２が２５０ｍｍ幅で成形される。ミシン目１８に沿ってポリ袋２０が連続ポリ袋１２から切り離し可能となる。
【００２０】
切り抜き工程、ミシン目工程を同時に行えば連続ポリ袋１２が効率よく成形できる。また、同時に行えば、切り抜き部１６Ｒ、１６Ｌ、ミシン目１８の相対的な位置ずれが発生せず、位置ずれのない加工が行える。しかし、同時に行うことなく、いずれかを先に行なってもよい。
図２（Ａ−５）に示すように、切り抜き部１６Ｒ、１６Ｌの長手方向の端１６−１を結んでミシン目１８を形成すれば、連続ポリ袋１２から切り離されたポリ袋２０の底に切り抜き片が全く残らず、見た目のよいポリ袋２０が得られる。しかし、第１、第２のシール部１４−１、１４−２は３０ｍｍ離反しているにすぎず、長手方向の端１６−１を結ぶことなくミシン目１８が形成されて、連続ポリ袋１２から切り離されたポリ袋２０の底に切り抜き片が残っても僅かな長さのものにすぎず、さほど違和感はなく、把手片と同長のＵ字形状の切り抜き片が底に残る従来のポリ袋に比較すれば、見た目もよい。
【００２１】
単体のポリ袋２０の連続した連続ポリ袋１２は、たとえば、図３（Ａ−６）に示すようにロール状に巻き取られる。ロール状に巻き取られることにより、保管、収納が容易であるとともに、スペースが僅かで足り、家庭用品としての利便性が増す。また、連続ポリ袋１２をロール状に巻き取ることなくＳ字形状に積み重ねても同様の効果が得られる。
【００２２】
ミシン目１８に沿ってポリ袋２０を切り離して拡幅すれば、図３（Ａ−７）に示すように、左右に把手片１７を中央にフラップ片１９を持つポリ袋が得られる（なお、ポリ袋の幅は４７０ｍｍとなる）。
実施例では、出来上がり形状が４７０ｍｍ幅（８００ｍｍ長）のポリ袋２０を連続して成形すると仮定して、連続ポリ袋の成形方法について説明し、成形途中の幅寸法を適宜述べているが、この寸法は一例であり、これに限定されないことはいうまでもない。
【００２３】
上記のように、本発明の連続ポリ袋では、袋素材１０のそれぞれの側端に切り抜き部１６Ｒ、１６Ｌが形成されているにすぎず、袋素材の中央部に切り抜き部を設けていないため、ロール状の巻き取り工程において袋素材がシワシワとならず、しわやたるみのないロール形状に巻き取ることができる。また、しわやたるみのないロール形状を巻き取られるため、単体のポリ袋２０にしわが残らず、見た目のよい単体のポリ袋が得られる。さらに、連続ポリ袋１２をロール状に巻き取ることなくＳ字形状に積み重ねても、しわやたるみのない形状となり、単体のポリ袋２０にしわが残らず、見た目のよい単体のポリ袋が得られる。
また、切り離して単体のポリ袋としたとき、ポリ袋の底に従来のような把手片と同長のＵ字形状の切り抜き片が残ることがなく、見た目のよいポリ袋が得られる。
そして、ロール状に巻き取ったり、Ｓ字形状に積み重ねることにより、保管、収納が容易であり、ゴミ袋として利用可能な単体のポリ袋が所定長引出してミシン目から切り離すことにより容易に得られ、家庭に常備される家庭用品に最適な連続ポリ袋が提供される。
【００２４】
また、本発明の連続ポリ袋の成形方法では、袋素材のそれぞれの側端に切り抜き部が形成されているにすぎず、袋素材の中央部に切り抜き部を設けていないため、ロール状の巻き取り工程において袋素材がシワシワとならず、しわやたるみのないロール形状に巻き取ることができ、単体のポリ袋にしわが残らず、見た目のよい単体のポリ袋が得られる。また、連続ポリ袋１２をロール状に巻き取ることなくＳ字形状に積み重ねても、しわやたるみのない形状となり、単体のポリ袋２０にしわが残らず、見た目のよい単体のポリ袋が連続ポリ袋から切り離される。
また、切り離して単体のポリ袋としたとき、ポリ袋の底に従来のような把手片と同長のＵ字形状の切り抜き片が残ることがなく、見た目のよいポリ袋が成形される。
さらに、ガゼット折り、熱溶着、側端の折込み、切り抜き、ミシン目の形成という連続ポリ袋の成形で普通に採用されている工程を経ているにすぎず、特別な工程を必要としないため、連続ポリ袋を効率よく成形できる。
【００２５】
上述した実施例は、この発明を説明するためのものであり、この発明を何等限定するものでなく、この発明の技術範囲内で変形、改造等の施されたものも全てこの発明に包含されることはいうまでもない。
たとえば、ポリ袋の上端に形成される把手片１７、フラップ片１９などの形状は一例であり、ガゼットやＣホールドの幅、切り欠き部の形状などを変えることにより、任意に変更できる。
【産業上の利用可能性】
【００２６】
本発明は、拡幅したとき左右に把手片、把手片の間にフラップ片を持つポリ袋などに広範囲に応用できる。
【図面の簡単な説明】
【００２７】
【図１】本発明の一実施例に係る連続ポリ袋の成形の工程図を示し、（Ａ−１）〜（Ａ−３）は袋素材の平面図、（Ｂ−１）〜（Ｂ−３）は袋素材の正面図を示す。
【図２】本発明の一実施例に係る連続ポリ袋の成形の工程図を示し、（Ａ−４）、（Ａ−５）は袋素材の平面図、（Ｂ−４）、（Ｂ−５）は袋素材の正面図を示す。
【図３】（Ａ−６）はロール状に巻き取られた連続ポリ袋の斜視図、（Ａ−７）は連続ポリ袋から切り離されて拡幅されたポリ袋の平面図を示す。
【符号の説明】
【００２８】
１０    袋素材
１２    連続ポリ袋
１４−１、１４−２  第１、第２のシール部
１６Ｒ、１６Ｌ  切り抜き部
１６−１    切り込み部の長手方向の端
１７    把手片
１８    ミシン目
１９    フラップ片
２０    （単体の）ポリ袋
【図１】
2008127033.tif 000003
【図２】
2008127033.tif 000004
【図３】
2008127033.tif 000005